(57)【特許請求の範囲】
【請求項１】
管軸方向に非対称な形状を有する開口をサドル部に１つだけ有する分岐管継手を介してケーブル保護管の管頂の右側または左側のいずれか一方から水平方向に分岐を取り出す際に、前記分岐管継手に対応させて前記ケーブル保護管の外面に当該ケーブル保護管の管軸方向に非対称な形状を有するかつ当該ケーブル保護管の管頂の右側または左側のいずれか一方に１つだけ形成される分岐孔のけがき線を記すために用いられるガイド部材であって、
前記ケーブル保護管の外面に沿うように湾曲した内面を有する本体、および
前記本体に形成される少なくとも２つの開口部を備え、
一方の前記開口部が、前記ケーブル保護管の周方向の一方側に前記分岐管継手を取り付けるための分岐孔の形状に対応し、他方の前記開口部が、前記ケーブル保護管の周方向の他方側に前記分岐管継手を取り付けるための分岐孔の形状に対応する、ガイド部材。
【請求項２】
前記本体の外面に形成され、前記ケーブル保護管から分岐を取り出す方向を前記開口部に対応付けて表示する分岐方向表示部をさらに備える、請求項１記載のガイド部材。
【請求項３】
前記２つの開口部は、前記本体と直交しかつ当該本体の周方向の中央を通る面に対して互いに対称になるように形成される、請求項１または２記載のガイド部材。
【請求項４】
前記２つの開口部は、前記本体の周方向に沿う線を通る面に対して互いに対称になるように形成される、請求項１または２記載のガイド部材。
【請求項５】
前記本体の周方向の中央に形成される位置決め部をさらに備える、請求項１ないし４のいずれかに記載のガイド部材。
【請求項６】
管軸方向に非対称な形状を有する開口をサドル部に１つだけ有する分岐管継手を介してケーブル保護管の管頂の右側または左側のいずれか一方から水平方向に分岐を取り出す際に、前記分岐管継手に対応させて前記ケーブル保護管の外面に当該ケーブル保護管の管軸方向に非対称な形状を有するかつ当該ケーブル保護管の管頂の右側または左側のいずれか一方に１つだけ形成される分岐孔のけがき線を記すために用いられるガイド部材であって、
前記ケーブル保護管の外面に沿うように湾曲した内面を有する本体、および
前記本体に形成される２つの開口部を備え、
前記２つの開口部は、前記本体と直交しかつ当該本体の周方向の中央を通る面に対して互いに対称になるように形成される、ガイド部材。
【請求項７】
管軸方向に非対称な形状を有する開口をサドル部に１つだけ有する分岐管継手を介してケーブル保護管の管頂の右側または左側のいずれか一方から水平方向に分岐を取り出す際に、前記分岐管継手に対応させて前記ケーブル保護管の外面に当該ケーブル保護管の管軸方向に非対称な形状を有するかつ当該ケーブル保護管の管頂の右側または左側のいずれか一方に１つだけ形成される分岐孔のけがき線を記すために用いられるガイド部材であって、
前記ケーブル保護管の外面に沿うように湾曲した内面を有する本体、および
前記本体に形成される２つの開口部を備え、
前記２つの開口部は、前記本体の周方向に沿う線を通る面に対して互いに対称になるように形成される、ガイド部材。
【発明の詳細な説明】
【技術分野】
【０００１】
この発明は、ガイド部材に関し、特にたとえば、ケーブルを収容して保護するケーブル保護管の外面に分岐孔を形成するために用いられる、ガイド部材に関する。
【背景技術】
【０００２】
従来のこの種のガイド部材の一例が特許文献１に開示されている。特許文献１の技術では、本体の中央部に孔（開口部）が形成されたけがきゲージ（ガイド部材）を、ケーブル保護管の外面の所定位置に載置し、フェルトペン等を用いて開口部（分岐孔）のけがき線を記す。そして、けがき線に従ってケーブル保護管を穿孔し、そこに開口部を形成する。
【特許文献１】特開２００１−２６８７３８号［Ｈ０２Ｇ  １／０６］
【非特許文献１】エヌ・ティ・ティ・インフラネット株式会社カタログ  ２００９．６  「電線共同溝（通信系）  共用ＦＡ方式  １管セパレート方式  〜コスト縮減と工期短縮を目指して〜」
【発明の概要】
【発明が解決しようとする課題】
【０００３】
たとえば、１管セパレート管（非特許文献１参照）等のケーブル保護管に対して直角に曲がる、かつ水平方向に延びるように分岐を取り出す場合には、ケーブル保護管の管軸よりも上方にオフセットされた位置から分岐を取り出すこととなるため、従来のようにケーブル保護管の管軸上から分岐を取り出す場合に比べて分岐孔の穿孔形状が複雑になることがあるが、特許文献１の技術では、けがきゲージの孔がそのような複雑な形状の分岐孔を形成することを考慮した形状になっていない。
【０００４】
そして、ケーブル保護管にそのような複雑な形状の分岐孔を形成する場合には、分岐の取り出し方向（たとえば、左右）に応じて異なった形状の分岐孔を形成する必要があるが、その取り出し方向に応じて複数のガイド部材を使い分けなければならないため、分岐孔の穿孔時の作業性が悪いという問題がある。さらに、作業時に使用するガイド部材の装着方向を間違えたりすれば、分岐孔の向きを正しい分岐方向に一致させることができない。
【０００５】
それゆえに、この発明の主たる目的は、新規な、ガイド部材を提供することである。
【０００６】
この発明の他の目的は、分岐孔の穿孔時の作業性を向上させることができる、ガイド部材を提供することである。
【０００７】
この発明のさらに他の目的は、分岐孔の向きを間違えることなく正確に穿孔することができる、ガイド部材を提供することである。
【課題を解決するための手段】
【０００８】
本発明は、上記の課題を解決するために、以下の構成を採用した。なお、括弧内の参照符号および補足説明などは、本発明の理解を助けるために後述する実施の形態との対応関係を示したものであって、本発明を何ら限定するものではない。
【０００９】
第１の発明は、管軸方向に非対称な形状を有する開口をサドル部に１つだけ有する分岐管継手を介してケーブル保護管の管頂の右側または左側のいずれか一方から水平方向に分岐を取り出す際に、分岐管継手に対応させてケーブル保護管の外面に当該ケーブル保護管の管軸方向に非対称な形状を有するかつ当該ケーブル保護管の管頂の右側または左側のいずれか一方に１つだけ形成される分岐孔のけがき線を記すために用いられるガイド部材であって、ケーブル保護管の外面に沿うように湾曲した内面を有する本体、および本体に形成される少なくとも２つの開口部を備え、一方の開口部が、ケーブル保護管の周方向の一方側に分岐管継手を取り付けるための分岐孔の形状に対応し、他方の開口部が、ケーブル保護管の周方向の他方側に分岐管継手を取り付けるための分岐孔の形状に対応する、ガイド部である。
【００１０】
第１の発明では、ガイド部材（１０）は、管軸方向に非対称な形状を有する開口（５６）をサドル部（５２）に１つだけ有する分岐管継手（３８）を介して、ケーブル保護管（３０）の本管（３２）の管頂の右側または左側のいずれか一方から水平方向に分岐を取り出す際に、本管の外面にケーブル保護管の管軸方向に非対称な形状を有するかつケーブル保護管の管頂の右側または左側のいずれか一方に１つだけ形成される分岐孔（３４）のけがき線を記すために用いられるものである。ガイド部材は、本管の外面に沿うように湾曲した内面を有する本体（１２）、および本体に形成される２つの開口部（１４，１６）を備えている。開口部は、本体を厚み方向に貫通する孔であり、ガイド部材を本管に取り付けた状態で、本管の管軸方向に非対称な形状を有している。そして、一方の開口部（１４）が、たとえば本管の左側に分岐管継手を取り付ける場合の分岐孔の形状に対応し、もう一方の開口部（１６）が、たとえば本管の右側に分岐管継手を取り付ける場合の分岐孔の形状に対応する。
【００１１】
第１の発明によれば、分岐孔の穿孔時に複数のガイド部材を準備する手間が省くことができ、さらに左側分岐および右側分岐のどちらの分岐孔であっても簡単にけがき線を記すことができる。したがって、本管へ分岐孔を形成する際に、作業性を向上させることができる。
【００１２】
第２の発明は、第１の発明に従属し、本体の外面に形成され、ケーブル保護管から分岐を取り出す方向を開口部に対応付けて表示する分岐方向表示部をさらに備える。
【００１３】
第２の発明では、ガイド部材（１０）の本体（１２）の外面には、分岐方向表示部（２０）が形成される。分岐方向表示部は、分岐孔（３４）から取り出す分岐ケーブル（５０）の引き出し方向、つまり分岐方向を各開口部（１４，１６）に対応付けて表示するものであり、実施例では、塗料によって、各開口部の横に、“分岐側”という文字と、分岐を取り出す方向を表示する矢印線とが表示される。
【００１４】
第２の発明によれば、ガイド部材を本管に取り付ける際に、ガイド部材の装着方向を間違えることがない。したがって、分岐孔の向きを間違えることなく正確に穿孔することが可能である。
【００１５】
第３の発明は、第１または２の発明に従属し、２つの開口部は、前記本体と直交しかつ当該本体の周方向の中央を通る面に対して互いに対称になるように形成される。
【００１６】
第３の発明では、本体（１２）には、その周方向の一方側と他方側とに、それぞれ開口部（１４，１６）が形成される。そして、それらの開口部が、本体と直交しかつ本体の周方向の中央を通る面に対して互いに対称になる位置に形成されている。
【００１７】
第３の発明によれば、左側分岐および右側分岐の両方の分岐孔の穿孔位置を簡単かつ正確に定めることができる。
【００１８】
第４の発明は、第１または２の発明に従属し、２つの開口部は、本体の周方向に沿う線を通る面に対して互いに対称になるように形成される。
【００１９】
第４の発明では、本体（１２）には、その周方向の一方側に、本体の長手方向に並ぶ２つの開口部（１４，１６）が形成される。そして、それらの開口部が、本体の周方向に沿う線を通る面に対して互いに対称になる位置に形成されている。
【００２０】
第４の発明によれば、左側分岐および右側分岐の両方の分岐孔の穿孔位置を簡単かつ正確に定めることができる。
【００２１】
第５の発明は、第１または２の発明に従属し、本体の周方向の中央に形成される位置決め部をさらに備える。
【００２２】
第５の発明では、本体（１２）の周方向の中央には、位置決め部（１８）が形成される。そして、ガイド部材（１０）を本管（３２）に取り付ける際に、この位置決め部を本管の管頂に沿うように配置することによって、ガイド部材の周方向の位置決めが行われる。
【００２３】
第５の発明によれば、ガイド部材を固定バンド等によって本管に固定しなくても、ガイド部材を本管の外面上に安定した状態で載置することができる。
【００２４】
第６の発明は、管軸方向に非対称な形状を有する開口をサドル部に１つだけ有する分岐管継手を介してケーブル保護管の管頂の右側または左側のいずれか一方から水平方向に分岐を取り出す際に、分岐管継手に対応させてケーブル保護管の外面に当該ケーブル保護管の管軸方向に非対称な形状を有するかつ当該ケーブル保護管の管頂の右側または左側のいずれか一方に１つだけ形成される分岐孔のけがき線を記すために用いられるガイド部材であって、ケーブル保護管の外面に沿うように湾曲した内面を有する本体、および本体に形成される２つの開口部を備え、２つの開口部は、本体と直交しかつ当該本体の周方向の中央を通る面に対して互いに対称になるように形成される、ガイド部材である。
【００２５】
第６の発明では、ガイド部材（１０）の本体（１２）には、本体と直交しかつ本体の周方向の中央を通る面に対して互いに対称になるように２つの開口部（１４，１６，２８）が形成され、それらが本管（３２）の管壁に分岐孔（３４）を形成するための抜き型として用いられる。
【００２６】
第７の発明は、管軸方向に非対称な形状を有する開口をサドル部に１つだけ有する分岐管継手を介してケーブル保護管の管頂の右側または左側のいずれか一方から水平方向に分岐を取り出す際に、分岐管継手に対応させてケーブル保護管の外面に当該ケーブル保護管の管軸方向に非対称な形状を有するかつ当該ケーブル保護管の管頂の右側または左側のいずれか一方に１つだけ形成される分岐孔のけがき線を記すために用いられるガイド部材であって、ケーブル保護管の外面に沿うように湾曲した内面を有する本体、および本体に形成される２つの開口部を備え、２つの開口部は、本体の周方向に沿う線を通る面に対して互いに対称になるように形成される、ガイド部材である。
【００２７】
第７の発明では、ガイド部材（１０）の本体（１２）には、本体の周方向に沿う線を通る面に対して互いに対称になるように２つの開口部（１４，１６，２８）が形成され、それらが本管（３２）の管壁に分岐孔（３４）を形成するための抜き型として用いられる。
【発明の効果】
【００２８】
この発明によれば、ガイド部材の本体に右側分岐と左側分岐の両方に対応可能な２つの開口部が形成されているため、分岐孔の穿孔時の作業性を向上させることができる。
【００２９】
さらに、この発明によれば、ガイド部材の本体の外面に分岐方向表示部を形成するようにしたため、ガイド部材の装着方向を間違えることがない。したがって、分岐孔の向きを間違えることなく正確に穿孔することができる。
【００３０】
この発明の上述の目的，その他の目的，特徴および利点は、図面を参照して行う以下の実施例の詳細な説明から一層明らかとなろう。
【図面の簡単な説明】
【００３１】
【図１】この発明の一実施例のガイド部材を示す斜視図である。
【図２】（ａ）は、図１のガイド部材を示す上面図であり、（ｂ）は、図１のガイド部材を示す正面図である。
【図３】（ａ）は、ガイド部材をケーブル保護管の本管の外面に設置する様子を示す図解図であり、（ｂ）は、ガイド部材の開口部に沿って分岐孔のけがき線を記す様子を示す図解図であり、（ｃ）は、けがき線に従って本管を穿孔して分岐孔を形成した様子を示す図解図である。
【図４】ケーブル保護管を示す断面図である。
【図５】図４のケーブル保護管を示す上面図である。
【図６】図４のケーブル保護管の内面側を示す図解図である。
【図７】（ａ）は、分岐管継手を示す正面図であり、（ｂ）は、分岐管継手のサドル部内面側を示す側面図である。
【図８】この発明の他の実施例であるガイド部材を示す斜視図である。
【図９】この発明のさらに他の実施例であるガイド部材を示す斜視図である。
【図１０】図９のガイド部材を示す上面図である。
【図１１】（ａ）は、ガイド部材をケーブル保護管の本管の外面に設置する様子を示す図解図であり、（ｂ）は、ガイド部材の開口部に沿って分岐孔のけがき線を記す様子を示す図解図であり、（ｃ）は、けがき線に従って本管  を穿孔して分岐孔を形成した様子を示す図解図である。
【図１２】この発明のさらに他の実施例であるガイド部材を示す斜視図である。
【図１３】この発明のさらに他の実施例であるガイド部材を示す斜視図である。
【図１４】（ａ）は、この発明のさらに他の実施例であるガイド部材の第１状態を示す正面図であり、（ｂ）は、そのガイド部材の第２状態を示す正面図である。
【図１５】この発明のさらに他の実施例であるガイド部材の第２状態を示す正面図である。
【図１６】（ａ）は、この発明のさらに他の実施例であるガイド部材の第１状態を示す正面図であり、（ｂ）は、そのガイド部材の第２状態を示す正面図である。
【図１７】図１６のガイド部材の変形実施例を示す断面図である。
【図１８】この発明のさらに他の実施例であるガイド部材を示す斜視図である。
【発明を実施するための形態】
【００３２】
図１を参照して、この発明の一実施例であるガイド部材１０は、たとえば図４および図５に示すようなケーブル保護管３０の本管３２から水平方向に分岐を取り出す際に、本管３２の外面に分岐孔３４のけがき線を記すために用いられるものである。
【００３３】
ここで、ガイド部材１０の具体的な説明に先立って、この発明の理解に必要な範囲で、ケーブル保護管３０について説明しておく。なお、以下の説明では、一例として、通信ケーブルを収容するケーブル保護管３０を想定して説明するが、ケーブル保護管３０の用途はこれに限定されるものではない。
【００３４】
図４および図５に示すように、ケーブル保護管３０は、地中に埋設される通信ケーブルを内部に収容して、その通信ケーブルを保護するための管であり、本管３２、分岐管３６、および本管３２と分岐管３６とを接続する分岐管継手３８などを含む。
【００３５】
本管３２は、たとえば、道路に沿って地中に埋設される管であり、硬質塩化ビニル等の合成樹脂などによって形成される。本管３２の内径は、たとえば１７５ｍｍである。この本管３２には、本管３２の内部を上部空間４０と下部空間４２とに区画するセパレータ４４が設けられる。セパレータ４４の上面、つまり上部空間４０の底面は、本管３２の管軸近傍から斜め上方に向けて本管３２の内面まで延びる傾斜面を有する。また、下部空間４２には、複数の鞘管４６が挿通される。
【００３６】
本管３２内に収容される通信ケーブルは、たとえば、電話局間を結ぶ幹線ケーブル４８と、幹線ケーブル４８から分岐して建物内に引き込まれる分岐ケーブル５０とを含む。本管３２の下部空間４２に設けられる鞘管４６内には、幹線ケーブル４８が個別に収容され、本管３２の上部空間４０には、複数の分岐ケーブル５０が収容される。また、分岐ケーブル５０は、セパレータ４４が有する傾斜面に案内されて、上部空間４０の底部中央およびその近傍を通るように通線される。
【００３７】
また、本管３２の管壁の斜め上部には、分岐孔３４が形成される。分岐孔３４は、上部空間４０と本管３２の外部とを連通する開口であり、分岐ケーブル５０を建物内に引き込むときに、分岐ケーブル５０を上部空間４０から分岐管継手３８内および分岐管３６内に取り出すために用いられる。
【００３８】
分岐孔３４は、ガイド部材１０の開口部１４，１６に応じた形状および寸法を有しており、図６に示すように、本管３２の管軸に対して斜め上方向に楕円状に延びる第１部分３４ａと、第１部分３４ａの上端部と連続して、そこから下方向に延びる第２部分３４ｂとからなり、全体として断面略く字状に形成される。つまり、分岐孔３４は、本管３２の管軸方向に非対称な形状を有している。
【００３９】
図４および図５に戻って、分岐管３６は、たとえば、本管３２から横方向に分岐して建物内などまで延びる管であり、硬質塩化ビニル等の合成樹脂などによって形成される。分岐管３６は、分岐管継手３８に接続される曲管を含み、この分岐管３６内に、本管３２から分岐管継手３８を介して分岐ケーブル５０が引き込まれる。分岐管３６の内径は、たとえば５０ｍｍである。
【００４０】
分岐管継手３８としては、本願出願人が先に出願した特願２０１０−５５３１０号において提案したものを使用することができる。図７に示すように、分岐管継手３８は、サドル部５２および枝管部５４を含む。
【００４１】
サドル部５２は、本管３２の外面に沿うように湾曲し、かつ本管３２の管軸方向に延びる略矩形の曲板状に形成される。枝管部５４は、サドル部５２の外面に形成され、サドル部５２を本管３２に取り付けた状態で、本管３２の管軸方向に対して鋭角に突出して水平方向に延びるように、短直管状に形成される。
【００４２】
サドル部５２には、本管３２の分岐孔３４（つまり上部空間４０）と枝管部５４の内部とを連通するための開口５６が形成される。開口５６は、サドル部５２を本管３２に取り付けた状態で、本管３２の管軸に対して斜め方向に延びる略楕円形状を有し、サドル部５２を本管３２に取り付けた状態で分岐孔３４の第１部分３４ａに大きさを有する（図７参照）。また、開口５６の側縁は、サドル部５２の内面と枝管部５４の内面とを滑らかに連結し、その下側の側縁（下部側縁）５６ａは、枝管部１４の突出方向へ向かうに従い下方に傾斜する傾斜面となる。
【００４３】
さらに、サドル部５２には、その内面から径方向に突出する突起部５８が形成される。突起部５８は、枝管部５４の突出方向と逆側、つまり分岐ケーブル５０の引込方向と逆側の開口５６横であって、サドル部５２を本管３２に取り付けた状態で分岐孔３４の第２部分３４ｂに収まる位置に配置される（図７参照）。そして、通線ヒモ（図示せず）等を使用して新たに分岐ケーブル（新規ケーブル）５０を引き込むときには、通線ヒモが突起部５８の上面上を通過することにより、通線ヒモと分岐孔３４の側縁との接触が避けられ、通線ヒモの引っ掛かりや損傷が防止される。
【００４４】
以下に、このようなケーブル保護管３０を前提にして、必要に応じてそれらを援用しながら、この発明の実施例または実施形態について説明する。
【００４５】
ガイド部材１０は、図１および図２に示すように、本管３２の外面に沿うように湾曲した内面を有する本体１２、および本体１２に形成される２つの開口部１４，１６を備えており、本管３２の外面に分岐孔３４のけがき線を記す際に、本管３２の上部に取り付けられる。
【００４６】
本体１２は、硬質塩化ビニル樹脂等の合成樹脂などからなり、本管３２の外面に沿うように湾曲し、かつ本管３２の管軸方向に延びる半円筒状に形成される。たとえば、この実施例では、本体１２は、硬質塩化ビニル板を加熱軟化した後で曲げ加工を行うことによって成形され、その長手方向（つまり、本管３２の管軸方向）の長さは、たとえば、４００−６００ｍｍである。
【００４７】
本体１２の周方向の中央には、位置決め部１８が形成される。位置決め部１８は、ガイド部材１０を取り付ける際の位置決めの目安とされるものであり、後に詳細を説明するように、ガイド部材１０を本管３２の上部に取り付ける際には、本体１２の位置決め部１８が本管３２の管頂に沿うように配置されて位置決めされる。位置決め部１８の表示方法は任意でよく、この実施例では、本体１２の周方向の中央が長手方向に延びる直線状にやや肉薄にされることにより表示されているが、たとえば塗料により記載すること、紙等に記載したものを本体１２に張り付けること、位置決め部１８となる突条または条溝を本体１２の外面に成形すること等により表示されてもよい。
【００４８】
また、本体１２には、本体１２の周方向の一方側と他方側とに１つずつ（つまり、位置決め部１８の左右両側に１つずつ）、合計２つの開口部１４，１６が形成されている。開口部１４，１６は、本体１２を厚み方向に貫通する孔であり、本管３２の分岐孔３４の寸法や形状に対応して形成されている。
【００４９】
開口部１４，１６は、ガイド部材１０を本管３２に取り付けた状態で、本管３２（ケーブル保護管３０）の管軸方向に非対称な形状を有しており、実施例では、本体１２の長手方向に対して斜め上方向に延びる第１部分１４ａ，１６ａと、第１部分１４ａ，１６ａの上端部と連続して、そこから下方向に延びる第２部分１４ｂ，１６ｂとを含み、全体として断面略く字状に形成される。
【００５０】
また、開口部１４，１６は、本体１２と直交しかつ本体１２の周方向の中央を通る面に対して互いに対称になるように形成されており、そのうちの一方の開口部（たとえば、開口部１４）が、本管３２の周方向の一方側（たとえば、本管３２の左側）に分岐管継手３８を取り付ける場合（つまり、本管３２の左側に分岐を取り出す場合）の分岐孔３４の形状に対応する。そして、もう一方の開口部（たとえば、開口部１６）が、本管３２の周方向の他方側（たとえば、本管３２の右側）に分岐管継手を取り付ける場合（つまり、本管３２の右側に分岐を取り出す場合）の分岐孔３４の形状に対応する。
【００５１】
以下、図５に示すように、本管３２の管軸方向における分岐ケーブルの引き出し方向（つまり、図５の図面上方向）に向いて左側（つまり、図５の図面左方向）に分岐を取り出す場合を左側分岐とし、分岐ケーブルの引き出し方向に向いて右側（つまり、図５の図面右方向）に分岐を取り出す場合を右側分岐とすることに留意されたい。
【００５２】
図１および図２に戻って、本体１２の外面には、分岐方向表示部２０が形成される。分岐方向表示部２０は、分岐孔３４から取り出す分岐ケーブル５０の引き出し方向、つまり分岐方向を各開口部１４，１６に対応付けて表示するものであり、この実施例では、塗料によって、各開口部１４，１６の横に、“分岐側”という文字と、分岐ケーブルの引き出し方向を表示する矢印線とが表示される。
【００５３】
ただし、その表示方法は任意でよく、本体１２に塗料により表示するのみならず、本体１２に直接刻み込むこと、紙等に記載したものを本体１２に張り付けること、それらを組み合わせること等により表示するようにしてもよい。
【００５４】
図４を参照して、このようなガイド部材１０を用いて、ケーブル保護管３０の本管３２から分岐を取り出す方法を以下に示す。
【００５５】
先ず、図４（ａ）に示すように、本管３２の外面の所定位置にガイド部材１０の本体１２を載置する。この実施例では、本体１２の分岐方向表示部２０の矢印線を分岐ケーブルの引き出し方向に一致させるとともに、位置決め部１８（つまり、周方向の中央）を本管２０の管頂に沿うように配置すれば、ガイド部材１０の位置決めが自動的に行われる。
【００５６】
続いて、図４（ｂ）に示すように、フェルトペン等の筆記具６０を用いて、ガイド部材１０の２つの開口部１４，１６のうちの一方の開口部（たとえば、開口部１４）の内周に沿って分岐孔３４のけがき線を記す。開口部１４は分岐孔３４の寸法や形状に対応して形成されているので、本管３２の外面に記されたけがき線は、そのまま分岐孔３４を形成するための切断位置を示す線（切断線）となる。
【００５７】
それから、本管３２の外面からガイド部材１０を取り除き、ドリル、カッター、エンドミルおよび鋸などの専用工具を用いて、けがき線に従って本管３２を穿孔し、図４（ｃ）に示すように、本管３２の管壁に分岐孔３４を形成する。なお、分岐孔３４の周縁は、ヤスリ等を用いて適宜面取りする。
【００５８】
そして、本管３２の管壁に分岐孔３４を形成した後、本管３２の外面に分岐管継手３８を接着接合などによって取り付ける。この際には、本管３２の外面またはサドル部５２の内面、または双方の所定部分に接着剤（接合剤）を塗布する。その後、本管３２の分岐孔３４内に分岐管継手１０の開口５６および突起部５８が収まる所定位置で、本管３２の外面とサドル部５２の内面とを密着させた状態で、固定バンド等を用いて固定する。
【００５９】
それから、分岐管３６の端部に分岐管継手３８の枝管部５４の端部を差し込み、接着接合などによって接続することによって、本管３２の上部空間４０から左側に分岐して、本管３２の管軸に対して直角に曲がる、かつ水平方向に延びる管路が形成される。つまり、ケーブル保護管３０の本管３２から分岐管継手３８を介して左側に分岐が取り出される。
【００６０】
なお、以上では、一例として、本管３２から左側に分岐を取り出す場合について説明したが、この本管３２から右側に分岐を取り出す場合には、ガイド部材１０の２つの開口部１４，１６のうちのもう一方の開口部（たとえば、開口部１６）の内周に沿って分岐孔３４のけがき線を記し、上述したのと同じ要領で、そのけがき線に従って本管３２を穿孔し、分岐管継手３８を介して分岐管３６を接続すればよい。
【００６１】
以上のように、この実施例では、ガイド部材１０の本体１２に２つの開口部１４，１６が形成され、そのうちの一方の開口部が本管３２の左側に分岐管継手３８を取り付けるための分岐孔３４の形状に対応し、もう一方の開口部が本管３２の右側に分岐管継手３８を取り付けるための分岐孔３４の形状に対応する。
【００６２】
このように、ガイド部材１０に左側分岐と右側分岐とに対応可能な２つの開口部１４，１６が形成されているので、本管３０の管軸方向に非対称な形状を有する分岐孔３４を穿孔する場合であっても、左側分岐と右側分岐とで２種類のガイド部材を使い分ける必要がなく、分岐孔３４の穿孔時に複数のガイド部材を準備する手間が省くことができる。
【００６３】
また、本管３２の左側および右側のどちらから分岐を取り出す場合であっても、その取り出し方向に応じて使用する（つまり、けがき線を記す）開口部１４，１６を適宜変えるだけで、分岐孔３４のけがき線を簡単に記すことができる。
【００６４】
その上、ガイド部材１０の取り付け方向を反対にして（つまり、１８０°回転させて）、開口部１４，１６の内周に沿って分岐孔３４のけがき線を記すようにすれば、本管３２の管軸方向の反対向き（つまり、図５の図面下方向）であってかつその左側に分岐を取り出す場合においても、また本管３２の管軸方向の反対向きであってかつその右側に分岐を取り出す場合においても、分岐孔３４のけがき線を記すことが可能である。つまり、ガイド部材１０は合計４方向の分岐取り出し作業に適用され得る。
【００６５】
したがって、この実施例によれば、本管３２への分岐孔３４の穿孔時の作業性を向上させることができる。
【００６６】
さらに、この実施例では、ガイド部材１０の本体１２の周方向の中央に位置決め部１８が形成され、この位置決め部１８をケーブル保護管３０の本管３２の管頂に沿うように配置することによって、ガイド部材１０の周方向の位置決めが行われる。
【００６７】
ここで、たとえば、図４および図５に示すようなケーブル保護管３０の本管３２から水平方向に分岐を取り出す場合には、本管３２の管軸よりも上方にオフセットされた位置から分岐を取り出すこととなるため、本管３２の管頂から左右それぞれ９０°の範囲に分岐管３４を設ける必要がある。このような場合には、ガイド部材１０もその範囲、つまり、管頂から外れた斜め上面で使用することとなるため、ガイド部材１０が本管３２から滑り落ち易く、分岐孔３４の穿孔位置を正確に定めるためには、ガイド部材１０を固定バンド等によって本管３２に固定しなければならない。
【００６８】
しかしながら、この実施例では、ガイド部材１０の周方向の中央と本管３２の管頂とを一致させて、ガイド部材１０の位置決めを行うようにしたため、ガイド部材１０を固定バンド等によって本管３２に固定しなくても、本管３２の外面上にガイド部材１０を安定した状態で載置することが可能である。
【００６９】
その上、開口部１４，１６が、本体１２と直交しかつ本体１２の周方向の中央を通る面に対して互いに対称になるように形成されているため、本体１２の位置決め部１８と本管３２の管頂とを一致させるだけで、各開口部１４，１６の向きを正しい方向（つまり、分岐を取り出す方向）に合わせることができる。したがって、左側分岐および右側分岐の両方の分岐孔３４の穿孔位置を正確に定めることができる。
【００７０】
さらに、この実施例によれば、本体１２の外面に分岐方向表示部２０を形成するようにしたため、ガイド部材１０を本管３２に取り付ける際に、ガイド部材１０の装着方向を間違えることがない。したがって、分岐孔３４の向きを間違えることなく正確に穿孔することが可能である。
【００７１】
ただし、必ずしも本体１２の外面に分岐方向表示部２０を形成する必要はなく、図８に示すガイド部材１０のように、本体１２の外面に分岐方向表示部２０を形成しなくてもよい。この場合には、ガイド部材１０の本体１２を小型化することが可能なので、その分だけガイド部材１０を持ち運びおよび保管することが容易になる。
【００７２】
図９−図１１に示すこの発明の他の一実施例であるガイド部材１０では、開口部１４，１６が形成される位置が異なる。以下、図１に示す管継手１０と共通する部分については同じ番号を付して、重複する説明は省略する。
【００７３】
図９および図１０に示すように、本体１２には、その周方向の一方側に、本体１２の長手方向に並ぶ２つの開口部１４，１６が形成される。開口部１４，１６は、本体１２の長手方向の中央側に向けて斜め上方向に延びる第１部分１４ａ，１６ａと、第１部分１４ａ，１６ａの上端部と連続して、そこから下方向に延びる第２部分１４ｂ，１６ｂとを含み、全体として断面略く字状に形成される。
【００７４】
また、開口部１４，１６は、本体１２の周方向に沿う線を通る面に対して互いに対称になるように形成されており、そのうちの一方の開口部（たとえば、開口部１４）が、本管３２の周方向の一方側（たとえば、本管３２の左側）に分岐管継手３８を取り付ける場合（つまり、本管３２の左側に分岐を取り出す場合）の分岐孔３４の形状に対応する。そして、詳細は後に説明するように、けがきゲージ１０の取り付け方向を反対にする（つまり、１８０°回転させる）ことで、もう一方の開口部（たとえば、開口部１６）が、本管３２の周方向の他方側（たとえば、本管３２の右側）に分岐管継手を取り付ける場合（つまり、本管３２の右側に分岐を取り出す場合）の分岐孔３４の形状に対応する。
【００７５】
さらに、本体１２の外面には、分岐方向表示部２０が形成されている。
【００７６】
図１１を参照して、このようなガイド部材１０を用いて、ケーブル保護管３０の本管３２から分岐を取り出す方法を以下に示す。
【００７７】
先ず、図１１（ａ）に示すように、本管３２の外面の所定位置にガイド部材１０の本体１２を載置する。この実施例においても、本体１２の分岐方向表示部２０の矢印線を分岐ケーブルの引き出し方向に一致させるとともに、位置決め部１８（つまり、周方向の中央）を本管２０の管頂に沿うように配置すれば、ガイド部材１０の位置決めが自動的に行われる。
【００７８】
続いて、図１１（ｂ）に示すように、フェルトペン等の筆記具６０を用いて、ガイド部材１０の２つの開口部１４，１６のうちの一方の開口部（たとえば、開口部１４）の内周に沿ってけがき線を記す。
【００７９】
それから、本管３２の外面からガイド部材１０を取り除き、ドリル、カッター、エンドミルおよび鋸などの専用工具を用いて、けがき線に従って本管３２を穿孔することにより、図１１（ｃ）に示すように、本管３２の管壁に分岐孔３４を形成する。
【００８０】
そして、本管３２の管壁に分岐孔３４を形成した後、本管３２の外面に分岐管継手３８を接着接合などによって取り付け、この分岐管継手３８の枝管部５４の端部と分岐管３６の端部とを接着接合などによって接続することによって、本管３２の上部空間４０から左側に分岐して、本管３２の管軸に対して直角に曲がる、かつ水平方向に延びる管路が形成される。つまり、ケーブル保護管３０の本管３２から分岐管継手３８を介して左側に分岐が取り出される。
【００８１】
なお、以上では、一例として、ケーブル保護管３０の本管３２から左側に分岐を取り出す場合について説明したが、このケーブル保護管３０の本管３２から右側に分岐を取り出す場合には、ガイド部材１０の取り付け方向を反対にして、ガイド部材１０の２つの開口部１４，１６のうちのもう一方の開口部（たとえば、開口部１６）の内周に沿って分岐孔３４のけがき線を記し、上述したのと同じ要領で、そのけがき線に従って本管３２を穿孔し、分岐管継手３８を介して分岐管３６を接続すればよい。
【００８２】
このように、この実施例においても、ガイド部材１０の本体１２に右側分岐と左側分岐の両方に対応可能な２つの開口部１４，１６が形成されているので、分岐孔３４の穿孔時に複数のガイド部材を準備する手間が省くことができ、左側分岐および右側分岐のどちらの分岐孔３４であってもけがき線を簡単に記すことができる。したがって、本管３２への分岐孔３４の穿孔時の作業性を向上させることができる。
【００８３】
また、この実施例においても、必ずしも本体１２の外面に分岐方向表示部２０を形成する必要はなく、図１２に示すガイド部材１０のように、本体１２の外面に分岐方向表示部２０を形成しなくてもよい。この場合においても、図８の実施例と同様に、ガイド部材１０の本体１２を小型化することが可能なので、その分だけガイド部材１０を持ち運びおよび保管することが容易になる。
【００８４】
さらに、この実施例では、各開口部１４，１６の第１部分１４ａ，１６ａが本体１２の長手方向の中央側に向けて斜め上方向に延びたが、これに限定される必要はない。図１３に示すガイド部材１０のように、各開口部１４，１６を反転させて、第１部分１４ａ，１６ａが本体１２の長手方向の端部に向けて斜め上方向に延びるようにしてもよい。
【００８５】
ところで、図１の実施例では、２つの開口部１４，１６を，本体１２と直交しかつ当該本体１２の周方向の中央を通る面に対して互いに対称になるように形成し、図９の実施例では、２つの開口部１４，１６を、本体１２の周方向に沿う線を通る面に対して互いに対称になるように形成したが、これに限定される必要はない。
【００８６】
要は、ガイド部材１０の本体１２に少なくとも２つの開口部１４，１６が形成されていて、その中の１つの開口部が左側分岐に、そして他の１つの開口部が右側分岐に対応可能であれば、同様の効果を得ることができる。
【００８７】
よって、図示は省略するが、ガイド部材１０の本体１２に、本管３２の管軸方向の一方に向きかつその左側に分岐を取り出す場合の分岐孔３４の形状に対応する第１の開口部、本管３２の管軸方向の一方に向きかつその右側に分岐を取り出す場合の分岐孔３４の形状に対応する第２の開口部、本管３２の管軸方向の他方に向きかつその左側に分岐を取り出す場合の分岐孔３４の形状に対応する第３の開口部、および本管３２の管軸方向の他方に向きかつその右側に分岐を取り出す場合の分岐孔３４の形状に対応する第４の開口部を設けるようにしてもよい。
【００８８】
また、上述の各実施例ではいずれも、ガイド部材１０の開口部１４，１６は、本体１２の長手方向に対して斜め上方向に延びる第１部分１４ａ，１６ａと、第１部分１４ａ，１６ａの上端部と連続して、そこから下方向に延びる第２部分１４ｂ，１６ｂとを含み、全体として断面略く字状に形成されたが、これに限定される必要はない。ガイド部材１０の開口部１４，１６の形状は、分岐管継手に対応させて決定される分岐孔の形状および寸法に合わせて適宜変更可能である。
【００８９】
さらにまた、上述の各実施例ではいずれも、ガイド部材１０の本体１２を硬質塩化ビニル樹脂等の合成樹脂によって形成したが、これに限定される必要はない。硬質ゴムや鋼材等の素材によって本体１２を形成するようにしてもよい。また、軟質材料によってたとえばシート状のガイド部材１０を形成するようしてもよい。
【００９０】
さらに、ガイド部材１０の本体１２を、たとえば透明色（半透明、有色透明、および無色透明を含む。）の合成樹脂によって形成するようにしてもよい。このようにすれば、ガイド部材１０の位置決めをより簡単に行うことができる。
【００９１】
さらに、図示は省略するが、ガイド部材１０の本体１２の内面（裏面）側に滑り止めのためシートを貼り付けるようにしてもよい。このようにすれば、ガイド部材１０を用いてけがき線を記すときに、ガイド部材１０の位置ずれを滑り止めシートによって防止することができる。
【００９２】
さらにまた、図示は省略するが、ガイド部材１０の本体１２の外面に、当該本体１２を本管１２の外面に一時的に固定するための取り付けバンドを設けるようにしてもよい。
【００９３】
また、図１４（ａ）に示すように、ガイド部材１０の本体１２をその周方向の中央で第１本体１２ａと第２本体１２ｂとに分割し、その第１本体１２ａと第２本体１２ｂとをヒンジ２２を介して折り畳み自在に連結するようにしてもよい。この場合には、第１本体１２ａと第２本体１２ｂとの間に一定間隔の隙間を形成してヒンジ２２で連結するようにすれば、図１４（ｂ）に示すように、第１本体１２ａと第２本体１２ｂとを内向きに折り畳むことができ、省スペース化が可能である。そして、このとき、本体１２の外面にヒンジ２２を取り付けるようにすれば、ヒンジ２２がガイド部材１０の位置決めの支障とならず、ガイド部材１０の位置決めを正確に行うことができるため、好適である。
【００９４】
なお、図１５（ａ）に示すように、第１本体１２ａと第２本体１２ｂとを外向きに折り畳むようにしてもよい。また、図１５（ｂ）に示すように、第１本体１２ａと第２本体１２ｂとを外向きかつ水平方向に延びるように折り畳むようにすれば、複数のガイド部材１０を上下方向に積層するときに省スペース化が可能であるため、その分だけガイド部材１０を保管することが容易になる。
【００９５】
さらにまた、第１本体１２ａと第２本体１２ｂとをヒンジ２２を介して連結する必要もなく、第１本体１２ａと第２本体１２ｂとを折り畳み自在に嵌合させるようにしてもよい。一例を挙げると、図１６（ａ）に示すように、第１本体１２ａの周方向の端縁には、断面円形の突起状の第１嵌合部２４が形成される。また、第２本体１２ｂの周方向の端縁には、第１嵌合部２４と嵌合可能な形状を有する窪み状の第２嵌合部２６が形成される。第２嵌合部２６は、その内面側が切り欠かれた形状を有しているため、図１６（ｂ）に示すように、第１本体１２ａと第２本体１２ｂとを内向きに折り畳むことが可能になる。
【００９６】
なお、この場合には、第１嵌合部２４と第２嵌合部２６との嵌合を安定的に保持させるために、図１７に示すような、第２嵌合部２６の内面側の切り欠きをなくし、そして第１本体１２ａの周方向の端縁をその内面側が切り欠かれた形状に形成する断面構造を、本体１２の軸方向に部分的に採用するようにしてもよい。
【００９７】
また、上述の各実施例ではいずれも、内部に上部空間４０と下部空間４２とに区画するセパレータ４４が設けられた、所謂１管セパレート管に分岐孔３４を形成するためにガイド部材１０が用いられたが、これに限定される必要はなく、内部にセパレータ４４が設けられていない本管３２に分岐孔３４を形成するためにこのガイド部材１０を用いることもできる。つまり、ケーブルを保護するためのケーブル保護管であれば、同様にこのガイド部材１０を適用できる。
【００９８】
さらにまた、上述の各実施例ではいずれも、ガイド部材１０の開口部１４，１６の内周に沿って分岐孔３４のけがき線を記し、そのけがき線に従って本管３２を穿孔することによって、本管３２に分岐孔３４を形成したが、これに限定される必要はなく、ガイド部材１０を分岐孔３４を形成するための抜き型として利用し、開口部１４，１６の内周に沿って直接本管３２を穿孔するようにしてもよい。
【００９９】
ガイド部材１０を分岐孔３４を形成するための抜き型として利用する一例を挙げると、図１８に示すこの発明のさらに他の一実施例であるガイド部材１０では、本体１２の周方向の一方側と他方側とに１つずつ、合計２つの外形線部２８が形成され、それらの外形線部２８がそれぞれ開口部１４，１６として機能する。
【０１００】
図１８に示すように、外形線部２８は、本体１２を厚み方向に貫通する線状の孔である。外形線部２８は、第１外形線部２８ａ、第２外形線部２８ｂ、および第３外形線部２８ｃからなり、これらが非開口部分（つまり、開口されていない部分）を挟んで連続することによって、全体として分岐孔３４の外形線（輪郭形状）に沿った形状に形成される。つまり、この外形線部２８がそのまま分岐孔３４を形成するための切断位置を示す線（切断線）となる。
【０１０１】
そして、本体１２における外形線部２８の内側に位置する部分は、各外形線部２８ａ，２８ｂ，２８ｃの間に位置する非開口部分により、本体１２における外形線部２８の外側に位置する部分と一体的に結合されている。
【０１０２】
２つの外形線部２８は、本体１２と直交しかつ本体１２の周方向の中央を通る面に対して互いに対称になるように形成されており、そのうちの一方の外形線部２８が、本管３２の左側に分岐を取り出す場合の分岐孔３４の形状に対応し、もう一方の外形線部２８が、本管３２の右側に分岐を取り出す場合の分岐孔３４の形状に対応している。
【０１０３】
このようなガイド部材１０を用いて、ケーブル保護管３０の本管３２から分岐を取り出す方法を以下に示す。
【０１０４】
先ず、ガイド部材１０の本体１２の分岐方向表示部２０の矢印線を分岐ケーブルの引き出し方向に一致させるとともに、位置決め部１８（つまり、周方向の中央）を本管２０の管頂に沿うように配置し、固定バンド等を用いて固定する。そして、エンドミル穿孔機（溝加工機）のエンドミル（回転工具）の長さを調節し、本管３２内に収容される通信ケーブルを損傷させないように、回転工具の長さを穿孔時に本管３２の内面側に薄く管壁が残る程度の長さに設定する。なお、このような溝加工機については、特開２００２−３６０１９号公報に詳述されているので、必要であればそれを参照されたい。
【０１０５】
次に、ガイド部材１０の外形線部２８に沿って回転工具（溝加工機）を動かして、本管３２の管壁を分岐孔３４の外形線に沿う形状に切削する。なお、第１外形線部２８ａと第２外形線部２８ｂとの間に、第２外形線部２８ｂと第３外形線部２８ｃとの間に、そして第３外形線部２８ｃと第１外形線部２８ａとの間に位置する非開口部分については、ガイド部材１０を少し軸方向の前後にスライドさせて切削するようにする。
【０１０６】
そして、本管３２の管壁を分岐孔３４の外形線に沿う形状に切削したら、本管３２の外面からガイド部材１０を取り除き、その切削部分の内側をハンマ等で叩いて薄く残した管壁を破壊することによって本管３２を穿孔し、本管３２の管壁に分岐孔３４を形成する。なお、分岐孔３４の周縁は、ヤスリ等を用いて適宜面取りする。
【０１０７】
それから、本管３２の外面に分岐管継手３８を接着接合などによって取り付け、この分岐管継手３８の枝管部５４の端部と分岐管３６の端部とを接着接合などによって接続することによって、ケーブル保護管３０の本管３２から分岐管継手３８を介して分岐が取り出される。
【０１０８】
なお、図１８では、図１の実施例におけるガイド部材１０のように、２つの外形線部２８（つまり、開口部１４，１６）を、本体１２と直交しかつ本体１２の周方向の中央を通る面に対して互いに対称になるように形成したが、これに限定される必要はなく、図９の実施例におけるガイド部材１０のように、２つの外形線部２８を、本体１２の周方向に沿う線を通る面に対して互いに対称になるように形成してもよい。
【０１０９】
さらにまた、上述した径や高さ等の具体的数値は、いずれも単なる一例であり、必要に応じて適宜変更可能である。また、水平方向とは、厳密な意味での水平方向だけでなく、略水平方向も含む概念である。
【符号の説明】
【０１１０】
１０  …ガイド部材
１２  …本体
１４，１６  …開口部
１８  …位置決め部
２０  …分岐方向表示部
３０  …ケーブル保護管
３２  …本管
３４  …分岐孔
３６  …分岐管
３８  …分岐管継手
【図１】
0005634199.tif 000002
【図２】
0005634199.tif 000003
【図３】
0005634199.tif 000004
【図４】
0005634199.tif 000005
【図５】
0005634199.tif 000006
【図６】
0005634199.tif 000007
【図７】
0005634199.tif 000008
【図８】
0005634199.tif 000009
【図９】
0005634199.tif 000010
【図１０】
0005634199.tif 000011
【図１１】
0005634199.tif 000012
【図１２】
0005634199.tif 000013
【図１３】
0005634199.tif 000014
【図１４】
0005634199.tif 000015
【図１５】
0005634199.tif 000016
【図１６】
0005634199.tif 000017
【図１７】
0005634199.tif 000018
【図１８】
0005634199.tif 000019